(57)【要約】【課題】 ネットワークを介して提供される、従来の交際希望者仲介サービスが抱えていた、「人気の高い属性を多く備えない交際希望者は出会い機会を得難い」、「複数の仲介サービスの利用に際し、会員登録が面倒である」、「交際希望者自身の主体性を示す情報が曖昧である」、「交際相手探しを辞めている者が交際相手候補として提示される」、といった問題点を改善した交際希望者仲介システムを提供することを課題とする。【解決手段】サーバ装置と複数の交際希望者の情報端末装置とをネットワークを介して接続して構成されたシステムであり、一つの交際希望者仲介サービスに出会いのコンセプトをもつ複数の交際希望者仲介コースを備える方法と、会員による利用参加者が所定の人数集まることで、利用参加者同士に限定して仲介を始めるグループが一定時間の後に終了する方法により交際希望者仲介を実施するシステムを提供する。【選択図】    図２
2009237690.tif 000002
【特許請求の範囲】
【請求項１】
交際相手を求める交際希望者である利用者同士を仲介するための交際希望者仲介装置と、複数の当該利用者の情報端末装置と、をネットワークを介して通信可能に接続して構成された交際希望者仲介システムであって、上記交際希望者仲介装置は、
利用者の情報端末装置からの会員登録要求により、会員として当該利用者を登録する会員登録手段と、
利用者の情報端末装置に複数の「交際希望者仲介コース」の利用参加を促す案内を提示する提示手段と、
上記複数の「交際希望者仲介コース」の中から好みに合う「交際希望者仲介コース」を利用参加する意思を示す、当該利用者の情報端末装置からの利用参加申請に応じて、好みに合う当該「交際希望者仲介コース」の利用参加者として当該利用者を登録するコース参加者登録手段と、
上記コース参加者登録手段を経て、好みに合う当該「交際希望者仲介コース」の利用参加者となった複数の利用者同士に限定して交際希望者仲介を行うコース限定仲介手段と、
を備えることを特徴とする交際希望者仲介システム。
【請求項２】
交際相手を求める交際希望者である利用者同士を仲介するための交際希望者仲介装置と、複数の当該利用者の情報端末装置と、をネットワークを介して通信可能に接続して構成された交際希望者仲介システムであって、上記交際希望者仲介装置は、
利用者の情報端末装置からの会員登録要求により、会員として当該利用者を登録する会員登録手段と、
利用者の情報端末装置に、予め利用参加者の上限数を設けて利用参加者募集を行う「稼動前の参加者限定仲介グループ」の利用参加を促す案内を提示する提示手段と、
上記「稼動前の参加者限定仲介グループ」を利用参加する意思を示す、当該利用者の情報端末装置からの利用参加申請に応じて、上記「稼動前の参加者限定仲介グループ」の利用参加者として当該利用者を登録するグループ参加者登録手段と、
所定の条件を満たすことで上記「稼動前の参加者限定仲介グループ」を「参加者限定仲介グループ」として開設するグループ開設手段と、
上記グループ開設手段を経た「参加者限定仲介グループ」の利用参加者となった複数の利用者同士に限定して交際希望者仲介を行うグループ限定仲介手段と、
上記グループ開設手段を経た「参加者限定仲介グループ」を所定の条件を満たすことで停止するグループ停止手段と、
を備えることを特徴とする交際希望者仲介システム。
【請求項３】
交際相手を求める交際希望者である利用者同士を仲介するための交際希望者仲介装置と、複数の当該利用者の情報端末装置と、をネットワークを介して通信可能に接続して構成された交際希望者仲介システムであって、上記交際希望者仲介装置は、
利用者の情報端末装置からの会員登録要求により、会員として当該利用者を登録する会員登録手段と、
利用者の情報端末装置に複数の「交際希望者仲介コース」の利用参加を促す案内を提示する提示手段と、
上記複数の「交際希望者仲介コース」の中から好みに合う「交際希望者仲介コース」を利用参加する意思を示す、当該利用者の情報端末装置からの利用参加申請に応じて、好みに合う当該「交際希望者仲介コース」に関連する、予め利用参加者の上限数を設けて利用参加者募集を行う「稼動前の参加者限定仲介グループ」の利用参加者として当該利用者を登録するコースグループ参加者登録手段と、
所定の条件を満たすことで上記「稼動前の参加者限定仲介グループ」を「参加者限定仲介グループ」として開設するグループ開設手段と、
上記グループ開設手段を経た「参加者限定仲介グループ」の利用参加者となった複数の利用者同士に限定して交際希望者仲介を行うグループ限定仲介手段と、
上記グループ開設手段を経た「参加者限定仲介グループ」を所定の条件を満たすことで停止するグループ停止手段と、
を備えることを特徴とする交際希望者仲介システム。
【発明の詳細な説明】
【技術分野】
【０００１】
本発明は、交際相手および結婚相手を探すことを希望する複数の交際希望者同士の交際希望者仲介システムに関する。
【背景技術】
【０００２】
ネットワークを介して提供される、交際相手や結婚相手を探すといった、交際希望者仲介サービスは、会員登録を済ませた会員に対して自己が好む異性像の属性情報を基に検索させることを促し、条件に合致した異性会員を発見した場合、その結果を会員に対して提示する。提示された異性会員の中に気に入った人がいたら、会員は交際の申込みを行い、交際の申込みを受けた相手がその申込みに対して「Ｙｅｓ」の返事をした場合、サービスはその会員同士が連絡する方法（電子メールアドレスや電話番号等）をお互いに伝達する手段を設けるか、サービスを介しての連絡を可能とすることで交際希望者同士を仲介する。これらの方法をとる従来の交際希望者仲介サービスはお手軽に利用できることから、数万人という会員数を誇るサービスが数多く存在する。このように数万人もの会員数がいるサービスの場合、会員が好む異性像の属性情報を基に検索される相手の対象は、数万人の異性会員全員である。
【発明の開示】
【発明が解決しようとする課題】
【０００３】
ネットワークを介して提供される、上記の従来の交際希望者仲介サービス（以下、従来式サービス）では、会員登録を済ませた会員には、会員が好む異性像の属性情報を基に行う検索の結果、一般的に人気の高い属性（写真写りが良い、高い経済力、等）を多く備えた会員たちが頻繁に提示される。しかし、それらの人気の高い属性を多く備えない会員たちは異性会員による検索の結果において提示される機会が少なく、人気の高い属性を多く備えない交際希望者は出会い機会を得難いといった問題がある。
【０００４】
また、交際希望者が従来式サービスを利用するには、交際希望者の情報を登録するといった会員登録が必要であった。会員登録は交際希望者にとって面倒であることと、個人情報を登録することへの抵抗感から、交際希望者が交際希望者仲介サービスの利用を避ける要因ともなっている。とくに複数の従来式サービスの利用を希望する交際希望者は、それぞれの交際希望者仲介サービス毎に会員登録を行う必要があり、交際希望者が積極的に交際相手を探すことを阻害することになる。
【０００５】
また、従来式サービスの方法では、会員自身の主体性を示す情報が曖昧で、主体性を示す情報を基に交際相手を探したい会員にとっては利用しにくいものであった。例えば、ある会員の理想の異性像が「倹約好きな人」である場合、従来式サービスの方法では、会員プロフィール等の詳細情報から読み取るしかなかった。つまり会員プロフィール等の詳細情報に含まれる情報（例えば、「倹約家」というキーワード）は複数の情報の中の一つであり、その会員自身の主体性を示す情報であるという意味では曖昧であるといった問題もある。
【０００６】
また従来式サービスの方法では、会員登録を済ませた会員たちの中には、「既に交際相手が見つかった」、「交際相手探しに興味を失った」等の理由により、交際相手探しを辞めている者も含まれる。つまり交際相手探しを真剣に行う会員が交際相手探しの検索を行った場合、その結果において提示される者たちの中には、前記交際相手探しを辞めている者も含まれることになる。そのため、会員が彼らに対して交際の申込みを行っても、その返事が迅速に返ってこないことになり、交際を申込んだ会員は返事を待つために、本来得られる可能性のある出会いの機会を損なうといった問題もある。
【０００７】
本発明は上記の全ての問題に鑑みてなされたもので、従来式サービスの問題であった、「人気の高い属性を多く備えない交際希望者は出会い機会を得難い点」、「複数の交際希望者仲介サービスの利用に際し、要求される会員登録が面倒である点」、「交際希望者自身の主体性を示す情報が曖昧である点」、「交際相手探しを辞めている者が交際相手候補として提示される点」、といった全ての問題を改善する交際希望者仲介システムを提供することを目的としている。
【課題を解決するための手段】
【０００８】
請求項１に記載の発明は、前記目的を達成するために、
交際相手を求める交際希望者である利用者同士を仲介するための交際希望者仲介装置と、複数の当該利用者の情報端末装置と、をネットワークを介して通信可能に接続して構成された交際希望者仲介システムであって、上記交際希望者仲介装置は、
利用者の情報端末装置からの会員登録要求により、会員として当該利用者を登録する会員登録手段と、
利用者の情報端末装置に複数の「交際希望者仲介コース」の利用参加を促す案内を提示する提示手段と、
上記複数の「交際希望者仲介コース」の中から好みに合う「交際希望者仲介コース」を利用参加する意思を示す、当該利用者の情報端末装置からの利用参加申請に応じて、好みに合う当該「交際希望者仲介コース」の利用参加者として当該利用者を登録するコース参加者登録手段と、
上記コース参加者登録手段を経て、好みに合う当該「交際希望者仲介コース」の利用参加者となった複数の利用者同士に限定して交際希望者仲介を行うコース限定仲介手段と、
を備えることを特徴とする交際希望者仲介システム
を提供する。
【０００９】
本発明における利用者とは、交際相手や結婚相手を探している者である。またネットワークは、複数の利用者の情報端末装置からの要求に応えて情報の通信を可能にできるものであれば、いかなるものでもよい。具体的には、例えば、インターネットやインターネット以外のネットワーク（ＬＡＮやＷＡＮ、ケーブルテレビ網、あるいは無線等）等を使用することができる。
【００１０】
また交際希望者仲介装置は、ネットワークを介して通信可能に接続でき、情報端末装置からの要求に応えて情報の送受信や処理を可能にできる装置であれば、いかなるものでもよい。具体的には、例えば、Ｗｅｂサーバの機能を有する装置等を使用することができる。
【００１１】
また情報端末装置は、ネットワークを介して通信可能に接続できるものであれば、いかなるものでもよい。具体的には、例えば、パーソナルコンピュータやノートパソコン、ＰＤＡや携帯電話等の携帯情報端末等、あるいはインターネットへのアクセスが可能なテレビや、ゲーム機等を使用することができる。
【００１２】
出会いのコンセプトは、感覚・直感だけで交際相手を選ぶのではなく、交際希望者にとっての理想の交際相手が備える特性や交際希望者同士の共通点、交際希望者が抱く交際相手との理想の関係、等を明確に概念化し、それに基づいてメンバーを募るための骨格・コンセプトである。従来式サービスの多くは、上記出会いのコンセプトを掲げることなく、会員登録を促し、会員間で交際相手を探す活動を支援するものであった。請求項１に記載の「交際希望者仲介コース」とは、出会いのコンセプトを掲げて、利用参加する会員間で交際相手を探す活動を支援するものであり、請求項１に記載の発明は、当該「交際希望者仲介コース」を複数備え、複数の当該「交際希望者仲介コース」の中から、会員が自由に好むものを選択し利用参加者となることができることを特徴とする交際希望者仲介のシステムである。
【００１３】
なお、出会いのコンセプトの例としては、「中高年者を対象とする交際希望者仲介」、「離婚経験者を対象とする交際希望者仲介」、「倹約好きな人向きの交際希望者仲介」、「専業主夫志望者と、専業主夫志望者との交際を希望する人を対象とする交際希望者仲介」、「医者と、医者との交際を希望する人を対象とする交際希望者仲介」等が挙げられるが、上記の例以外でも上述の出会いのコンセプトの定義に則するものも含まれる。
【００１４】
請求項１に記載の発明は、会員登録を済ませた利用者に対して、複数の「交際希望者仲介コース」を紹介し利用参加を促す。会員登録を済ませた利用者は、複数の当該「交際希望者仲介コース」の中から、気に入ったものを任意で選択し、複数の「交際希望者仲介コース」を同時に利用参加できる交際希望者仲介のシステムである。
【００１５】
請求項２に記載の発明は、前記目的を達成するために、
交際相手を求める交際希望者である利用者同士を仲介するための交際希望者仲介装置と、複数の当該利用者の情報端末装置と、をネットワークを介して通信可能に接続して構成された交際希望者仲介システムであって、上記交際希望者仲介装置は、
利用者の情報端末装置からの会員登録要求により、会員として当該利用者を登録する会員登録手段と、
利用者の情報端末装置に、予め利用参加者の上限数を設けて利用参加者募集を行う「稼動前の参加者限定仲介グループ」の利用参加を促す案内を提示する提示手段と、
上記「稼動前の参加者限定仲介グループ」を利用参加する意思を示す、当該利用者の情報端末装置からの利用参加申請に応じて、上記「稼動前の参加者限定仲介グループ」の利用参加者として当該利用者を登録するグループ参加者登録手段と、
所定の条件を満たすことで上記「稼動前の参加者限定仲介グループ」を「参加者限定仲介グループ」として開設するグループ開設手段と、
上記グループ開設手段を経た「参加者限定仲介グループ」の利用参加者となった複数の利用者同士に限定して交際希望者仲介を行うグループ限定仲介手段と、
上記グループ開設手段を経た「参加者限定仲介グループ」を所定の条件を満たすことで停止するグループ停止手段と、
を備えることを特徴とする交際希望者仲介システム
を提供する。
【００１６】
請求項２に記載の「参加者限定仲介グループ」とは、交際相手探しを目的とする利用者たちの一つの集合であり、会員登録を済ませた利用者達たちが入会後、別に参加を申込むことで利用可能となるグループである。「参加者限定仲介グループ」は、従来式サービスの機能（属性情報に基づく検索や交際申込み、メッセージ交信等）を利用参加者たちに提供するが、仲介をする対象は同じグループの利用参加者として登録する者に限定するものである。請求項２に記載の発明は、会員登録を経て会員となった利用者に対して、利用参加者募集を行う「参加者限定仲介グループ」を紹介する。会員の操作で情報端末装置から任意のタイミングで行われる、利用参加者募集を行う「参加者限定仲介グループ」への利用参加申請を受付けた場合、当該「参加者限定仲介グループ」の利用参加者として当該会員を登録し、また所定の条件を満たすことで、利用参加者募集を行う「参加者限定仲介グループ」の利用参加者として登録された会員たちを利用参加者とする「参加者限定仲介グループ」を開設する。開設により稼動する「参加者限定仲介グループ」は、上述の機能を利用参加者たちに提供する。また所定の条件を満たすことで、稼動する「参加者限定仲介グループ」を停止する。停止により、当該「参加者限定仲介グループ」の利用参加者たちは当該「参加者限定仲介グループ」の機能の利用を一切できなくなる。
【００１７】
請求項３に記載の発明は、前記目的を達成するために、
交際相手を求める交際希望者である利用者同士を仲介するための交際希望者仲介装置と、複数の当該利用者の情報端末装置と、をネットワークを介して通信可能に接続して構成された交際希望者仲介システムであって、上記交際希望者仲介装置は、
利用者の情報端末装置からの会員登録要求により、会員として当該利用者を登録する会員登録手段と、
利用者の情報端末装置に複数の「交際希望者仲介コース」の利用参加を促す案内を提示する提示手段と、
上記複数の「交際希望者仲介コース」の中から好みに合う「交際希望者仲介コース」を利用参加する意思を示す、当該利用者の情報端末装置からの利用参加申請に応じて、好みに合う当該「交際希望者仲介コース」に関連する、予め利用参加者の上限数を設けて利用参加者募集を行う「稼動前の参加者限定仲介グループ」の利用参加者として当該利用者を登録するコースグループ参加者登録手段と、
所定の条件を満たすことで上記「稼動前の参加者限定仲介グループ」を「参加者限定仲介グループ」として開設するグループ開設手段と、
上記グループ開設手段を経た「参加者限定仲介グループ」の利用参加者となった複数の利用者同士に限定して交際希望者仲介を行うグループ限定仲介手段と、
上記グループ開設手段を経た「参加者限定仲介グループ」を所定の条件を満たすことで停止するグループ停止手段と、
を備えることを特徴とする交際希望者仲介システム
を提供する。
【００１８】
請求項３に記載の発明は請求項１および２の特徴を併せ持つものであり、請求項１に記載の「交際希望者仲介コース」に請求項２に記載の「参加者限定仲介グループ」の性質を併せたものである。請求項３に記載の発明は、会員登録を済ませた利用者に対して、複数の「交際希望者仲介コース」を紹介し利用参加を促す。会員登録を済ませた利用者は、複数の当該「交際希望者仲介コース」の中から、会員が自由に好むものへの利用参加申請が可能である。会員の操作で情報端末装置から任意のタイミングで行われる、利用参加申請を受付けた場合、参加指定された「交際希望者仲介コース」に関連する、利用参加者募集を行う「参加者限定仲介グループ」の利用参加者として当該会員を登録する。また所定の条件を満たすことで、上記「参加者限定仲介グループ」の利用参加者として登録された会員たちを利用参加者とする「参加者限定仲介グループ」を開設する。開設により稼動する「参加者限定仲介グループ」は、従来式サービスの機能（属性情報に基づく検索や交際申込み、メッセージ交信等）を利用参加者たちに提供するが、仲介をする対象は同じグループの利用参加者として登録する者に限定する。また所定の条件を満たすことで、稼動する「参加者限定仲介グループ」を停止する。停止により、当該「参加者限定仲介グループ」の利用参加者たちは当該「参加者限定仲介グループ」の機能の利用を一切できなくなる。
請求項３に記載の「交際希望者仲介コース」は、既述の出会いのコンセプトを掲げているものである。
【００１９】
なお、請求項２および３に記載のグループ開設手段を実行する切っ掛けとなる所定の条件とは、「稼動前の参加者限定仲介グループ」の利用参加者の募集を始めた時点から予め設けた時間が経過すること、および／または、次の（１）、（２）のいずれかである。
（１）一つの「参加者限定仲介グループ」の利用参加者として登録された会員数が男女双方の定員数を満たすこと、
（２）一つの「参加者限定仲介グループ」の利用参加者として登録された会員数が男女いずれかの定員数を満たすこと、
【００２０】
なお、請求項２および３に記載のグループ停止手段を実行する切っ掛けとなる所定の条件とは、「参加者限定仲介グループ」を開設した時点から予め設けた時間が経過すること、および／または、一つの「参加者限定仲介グループ」の利用参加者として登録された会員である全利用参加者の利用状況に関連する条件である、次の（１）ないし（５）の内のいずれかあるいは全てである。
（１）利用参加者が他の利用参加者に対して行う交際申込みの総回数が予め設けた回数に至ること、
（２）利用参加者同士の交際成立の総組数が予め設けた数に至ること、
予め設けた時間内に利用参加者が他の利用参加者に対して行う交際申込みの総回数が予め設けた回数に至らないこと、
（３）予め設けた時間内に利用参加者が他の利用参加者に対して行う交際申込みを受けた利用参加者が当該申込みを断る総回数が予め設けた回数に至ること、
（４）予め設けた時間内に利用参加者同士の交際成立の総組数が予め設けた数に至らないこと、
（５）予め設けた時間内に利用参加者の利用の形跡が少ないこと、
【発明の効果】
【００２１】
図１は従来式サービスと、請求項１に記載の交際希望者仲介システムが提供するサービスを概念的に示す図である。請求項１に記載の交際希望者仲介システムが提供するサービスでは、全ての「交際希望者仲介コース」（例：Ｇａ５〜８、その他）は、交際希望者Ｇａ４が会員登録した際の情報を共通に用いて交際希望者仲介を行う。そのため、交際希望者Ｇａ４が複数の「交際希望者仲介コース」（例：Ｇａ５〜８、その他）の中から好みに合うものを選択しそれらを利用する意思を固めた場合には、簡便な利用参加申請を行うだけで、面倒な情報登録は不必要となる。このことにより、前述の課題であった「複数の交際希望者仲介サービスの利用に際し、要求される会員登録が面倒である点」が改善される。
【００２２】
請求項１に記載の交際希望者仲介システムにより、交際希望者が交際相手や結婚相手を探す際に重視する点が明確になる。例えば、請求項１に記載の「交際希望者仲介コース」の利用参加者募集のコンセプトが「倹約好きな人向きの交際希望者仲介」であれば、このコースで交際相手を探す利用参加者は「倹約好きな人」を重視する人物であるとして、交際希望者自身の主体性が明確になり、前述の課題であった「交際希望者自身の主体性を示す情報が曖昧である点」が改善される。
【００２３】
図２は請求項２に記載の交際希望者仲介システムが提供するサービスを概念的に示す図である。請求項２に記載の交際希望者仲介システムにおいて、会員が交際相手を探すには、請求項２に記載の「参加者限定仲介グループ」に別途、簡便な利用参加申請を行う必要がある。そのため、「既に交際相手が見つかった」、「交際相手探しに興味を失った」等の理由により、交際相手探しを中止した者は利用参加申請を行わないので、「参加者限定仲介グループ」は交際相手探しに意欲がある会員だけで構成されることになる。また前述の所定の条件を満たすことで、開設した「参加者限定仲介グループ」を停止することにより、交際相手探しに意欲がある人員が保たれ、前述の課題であった「交際相手探しを辞めている者が交際相手候補として提示される点」が改善される。
【００２４】
請求項３に記載の交際希望者仲介システムは請求項１および２に記載の交際希望者仲介装置が備える手段を併せ持つことから、請求項１および２の発明の効果がある。さらに、請求項３に記載の交際希望者仲介システムにより、会員は複数の「交際希望者仲介コース」の利用参加申請を任意で行うことができる。上記「交際希望者仲介コース」は請求項１に記載の「交際希望者仲介コース」と同様に、様々な出会いのコンセプトを帯びるものであるであるから、「交際希望者仲介コース」に関連する、「参加者限定仲介グループ」に利用参加登録される会員たちは、コンセプトを意識して交際相手を探すことになり、一般的に人気の高い属性（写真写り、経済力等）ばかりに目をむけがちになることが軽減されることから、一般的に人気の高い属性を多く備えないことから従来式サービスでは出会いの機会を得がたかった会員にも、異性会員からの関心が向きやすくなる。また会員が交際相手を探せる対象は、会員自身が利用参加する「参加者限定仲介グループ」の異性の利用参加者に限定されるので、「一般的に人気の高い属性を多く備える会員」が参加していない場合の「参加者限定仲介グループ」に参加する異性会員には、当該「一般的に人気の高い属性を多く備える会員」が交際相手の候補として提示されない。つまり「一般的に人気の高い属性を多く備えない会員」が出会いの機会を得られる可能性がより高まる。このことにより、前述の課題であった「人気の高い属性を多く備えない交際希望者は出会い機会を得難い点」が改善される。
【発明を実施するための最良の形態】
【００２５】
請求項１に記載の交際希望者仲介システムが提供するサービス概念を、図１を用いて説明する。コンセプトをもった従来式サービスでは、交際希望者Ｇａ３が興味を抱いた個別のサービス（例：符号Ｇａ１、Ｇａ２）を利用したい場合に、個別のサービス毎に自己の情報を登録する会員登録をする必要があった。しかし請求項１に記載の交際希望者仲介システムが提供するサービスを利用する交際希望者Ｇａ４は、当該サービスへの会員登録を済ませた後は、コンセプトをもった複数の「交際希望者仲介コース」（例：符号Ｇａ５〜８、その他）の中から、自由に気に入ったものを幾つでも、簡便な利用参加申請を行うだけで、個別に行う面倒な情報登録を不必要で利用参加が可能となる。「交際希望者仲介コース」に利用参加する交際希望者には、従来式サービスと同様の交際相手探しの機能（属性情報に基づく検索や交際申込み、メッセージ交信等）を同じ「交際希望者仲介コース」の利用参加者として登録する者を対象に限定して提供する。
【００２６】
請求項２に記載の交際希望者仲介システムが提供するサービス概念を、図２を用いて説明する。請求項２に記載の交際希望者仲介システムが提供するサービスでは、会員登録を済ませた交際希望者Ｇｂ２が交際相手探しの活動を行うには、参加者募集中の「参加者限定仲介グループ」Ｇｂ１への利用参加申請をする必要がある。この利用参加申請は交際希望者Ｇｂ２の任意である。所定の条件（例：予め設けた時間を迎えることや、男女毎に設けている募集人数等）を満たしたとき、参加者募集中の「参加者限定仲介グループ」Ｇｂ１は、稼動する「参加者限定仲介グループ」（Ｇｂ３〜５）となる。稼動する「参加者限定仲介グループ」（参考、Ｇｂ４ｚはＧｂ４の拡大図）では、当該グループに利用参加申請をした交際希望者たちが男性側Ｇｂ４ｍおよび女性側Ｇｂ４ｗに分けられ、お互いの側を交際相手候補の対象として検索や交際の申込み、メッセージ交信等を行いながら、交際相手探しをすることができる。しかし稼動する「参加者限定仲介グループ」に参加する交際希望者の交際相手探しの対象は、稼動する同じ「参加者限定仲介グループ」の異性参加者に限定される。例えば、グループＧｂ４ｚの男性側Ｇｂ４ｍに属する参加者は、同じグループＧｂ４ｚの女性側Ｇｂ４ｗに属する参加者を対象に限定して上記の交際相手探しをすることになり、稼動する他の「参加者限定仲介グループ」（例えばＧｂ３、５）の参加者に対しては行えない。既述の所定の条件を満たすことで、稼動する「参加者限定仲介グループ」Ｇｂ６は停止し、その参加者たちＧｂ７は、当該「参加者限定仲介グループ」Ｇｂ６での交際相手探し活動はできなくなる。参加者たちＧｂ７は停止後、新たに参加募集中のグループＧｂ１に任意で参加申請ができる。請求項２に記載の発明は、これらの流れを繰り返すことで交際希望者同士の仲介をする交際希望者仲介システムである。なお、参加募集中のグループＧｂ１は１つでも複数でもよい。
【実施例】
【００２７】
以下、請求項３の発明に関する説明を行う。請求項３は請求項１および２の特徴を併せ持つものである。説明では、請求項２、３に記載のグループ開設手段として、稼動前のグループを始動する切っ掛けとなる所定の条件を、一つの「参加者限定仲介グループ」の利用参加者として登録された会員数が男女双方の定員数を満たすこと、であることとし、請求項２、３に記載のグループ停止手段として、稼動するグループを停止する切っ掛けとなる所定の条件を、「参加者限定仲介グループ」を開設した時点から予め設けた時間が経過すること、であることとし、ネットワークはインターネットであるとする。
【００２８】
まず本実施形態の概要を簡単に説明する。Ｗｅｂサイトを閲覧する利用者（以下、利用者）は、サービスを利用するために自己の情報を登録する。サービスを利用するために会員登録を済ませた利用者（以下、会員）に対して、サービスは、交際希望者同士の出会いを仲介することを目的とする、請求項３に記載の「交際希望者仲介コース」（以下、コース）を紹介する。コースはそれぞれが出会いのコンセプトを持つものであり、会員は複数あるコースの中に、気に入ったコンセプトのコースがあれば、そのコースを利用参加するための申請（以下、参加申請）ができる。コース毎に予め設定する参加申請者数が揃うことで、その参加申請者たちは交際相手探しを目的とする一つのグループとなると同時に、
請求項２、３に記載の「参加者限定仲介グループ」、（以下、グループ）の利用参加者となる。グループは、一つの小さな従来式の「交際希望者仲介サービス」の機能を有する。グループの利用参加者（以下、参加者）たちは同じグループの参加者を相手に限定して交際の申し込みや、メッセージの交信が可能になる。参加申請者数が多いコースは、多くのグループを開設させることになるが、グループは一定期間を超えると機能しなくなり、そのグループの参加者たちは当該グループを通しての活動を一切できなくなる。グループでの交際相手探しにおいて望む交際相手を得られなかった会員たちは、任意により同じコースへの参加申請が可能である。また、会員は複数の異なるコースへの参加申請および利用参加が可能である。
【００２９】
グループの参加は会員自身による参加申請が必要であり、グループの存続は期間限定であることから、交際相手探しの対象となる参加者たちは常に交際相手探しへのやる気が高い人員（以下、アクティブ会員）で構成されることになる。それにより、交際相手探しへの活動意欲を失った会員（以下、非アクティブ会員）への交際申込みによる、アクティブ会員の出会いの機会損失は解消される。
【００３０】
次に、コースに関して説明する。前述の通り、コースはそれぞれが出会いのコンセプトを持つものであり、出会いのコンセプトの例をあげれば、「中高年者の会員を対象とする交際希望者仲介」、「離婚経験者の会員を対象とする交際希望者仲介」、「倹約好きな会員向きの交際希望者仲介」、「専業主夫志望の会員と、専業主夫志望者との交際を希望する会員を対象とする交際希望者仲介」、「医者である会員と、医者との交際を希望する会員を対象とする交際希望者仲介」等、交際希望者たちの事情に合わせたものであり、出会いのコンセプトは予め設定したもの以外にも、交際を希望する独身者たちのニーズに対応できるようにコンセプトを決め、コースの数を増やすことが可能である。
【００３１】
会員は気に入ったコースがあれば、複数のコースを同時に利用することが可能であり、また利用しない選択も可能である。これは積極的に交際相手探しをしたい期間が断続的な利用者のニーズにも対応できる。また各コースに関連する、参加者を募集するグループは、定員数を予め設けてあり、男女それぞれの定員を満たす時点で、参加者を募集していたグループは開設し、交際希望者仲介を行うグループとなり、当該グループの活用を通じて会員が交際相手探しをすることが可能となる。グループが開設した後に当該コースに利用参加申請する会員は、新たに参加者の募集を始めた、当該コースに関連するグループの参加者として登録される。再び募集を始めたコースが再び定員数を満たすと、更にまた次のグループを開設させる。そのサイクルによる結果、各コースに関連する複数のグループが稼動することになる。
【００３２】
グループは基となるコースがもつ出会いのコンセプトを帯びるものであり、グループの参加者は、同じグループの他の参加者たちの中から交際したい相手を探すことになる。これは、従来式サービスの問題であった、非アクティブ会員に対して交際の申込みをしても返事が返ってこない等により、交際相手探しに対する意欲の減退を抑えることと共に、異性に人気のある属性を多く備えない人への注目の機会が増える可能性を広げる効果につながる。
【００３３】
グループが稼動を始めたときから一定の時間が経過するとグループは停止し、希望する交際相手が得られなかったそのグループの参加者たちは、再び同じコースの利用参加募集に申請することが可能であり、その都度、会員は気持ちを切り替えて、交際相手を探すことが可能となる。
【００３４】
また会員がグループの一員となって交際相手を探すことには、他の効果も期待できる。従来式サービスでは、会員は一人で出会いを探す。本実施形態のシステムもその点は同様である。会員は横のつながりがないので、孤独な気分になりがちで、その気分は交際相手探しへの意欲減退への要因ともなる。しかし、アクティブ会員ばかりで構成されるグループの一員となることで、交際相手探しへの行動的な刺激を受け、交際相手探しへの意欲維持の効果も期待できる。
【００３５】
次は、利用者の視点から本実施形態の概要を説明する。利用者は自己の情報端末装置を操作して、本実施形態のシステムに対して会員登録を行う。会員登録を済ました利用者は、一意的に特定可能なログインＩＤと、パスワードを使用することで、会員専用ページにログインすることが可能になる。会員がログインすることによってのみ表示される会員専用ページ（図１８を参照）では、複数のコースの紹介が表示される。それらのコースの中に会員が気に入ったものがあれば、会員はそのコースへの利用参加申請を実行できる。
【００３６】
会員はコースが備えるコンセプトに共感し利用参加申請を行うが、その登録は当該コースに関連する、利用参加者募集を行うグループの利用参加者として行う。会員は利用参加申請を済ませても、当該グループが所定の定員数を満たし稼動状態になるまでは利用ができない。また、会員が利用参加者として登録されたグループがまだ稼動状態でない場合は、利用参加申請をキャンセルすることもできる。また会員は他のコースへの利用参加申請を重複して行える。
【００３７】
会員が利用参加者として登録された上記グループが、所定の定員数を満たした場合、当該グループの利用参加者として登録された全ての会員たちは、コースの出会いのコンセプトを帯びた一つのグループの参加者となる。参加者は交際相手探しの対象を同じグループの参加者たちに限定して行うことができるようになる。
【００３８】
参加者は同一グループの異性の参加者たちを対象に、交際したい相手に望む属性を基に行う検索や、異性の参加者の詳細情報の閲覧、また、気に入った異性の参加者がいれば、交際の申込みもできる。交際の申込みを受けた場合、参加者は、交際の申込みをした側の異性の参加者に対して、交際の申込みにＹｅｓかＮｏかの返事を行うことができる。交際を申込まれた参加者が交際の申込みに「Ｙｅｓ」の返事を返した場合、双方は、双方間でシステムを通じてメッセージの交信が可能となるカップルの関係（以下、カップル関係）となる。
【００３９】
カップル関係になると、双方間でのみメッセージの交信が可能になるメッセージ交信ページを利用することができる。メッセージ交信ページは文章の送信が可能であり、カップル関係同士の参加者はお互いのメッセージを読むことができる一方、カップル関係以外の参加者による閲覧と送信はできないものである。またカップル関係間で直接的に連絡をとる方法として、自己の電子メールアドレスや電話番号（以下、直接連絡先情報）を先方に知らせることができる。
【００４０】
参加者が希望する交際相手を得ることができたか否かを問わず、グループが始動した時点から一定の時間が経過した場合、グループは終了し、その参加者たちは、そのグループの利用が一切できなくなる。但し、グループの終了以前に、カップル関係の相手が知らせた直接連絡先情報は記録され、グループの終了以後も参加者はカップル関係の相手の直接連絡先情報の閲覧が可能である。
【００４１】
図３は、本実施形態の構成を示すブロック図である。交際希望者である複数の利用者同士の仲介を処理する交際希望者仲介装置としてのサーバＳＶは、経路制御装置等、専用線や電話回線等を経由してインターネットＮＥＴに接続されている（ルーター等の通信装置は図示していない）。利用者の情報端末装置（符号ＵＳ１、ＵＳ２、ＵＳ３、…）は、それぞれＣＲＴやＬＣＤ等の表示部ＵＳ１ｄとともに、キーボードやマウス等の入力部ＵＳ１ｍを有するものであり、サーバＳＶと同様にインターネットＮＥＴを介しての通信が可能に接続されている構成である。なお本実施形態の説明において、サーバＳＶと利用者の情報端末装置（符号ＵＳ１、ＵＳ２、ＵＳ３、…）との通信は、情報端末装置ＵＳ１を例とするがその他の情報端末装置（符号ＵＳ２、ＵＳ３、…）との通信の説明に関しても同様である。またサーバＳＶは請求項に記載の交際希望者仲介装置であり、利用者の情報端末装置（符号ＵＳ１、ＵＳ２、ＵＳ３、…）は請求項に記載の交際希望者の情報端末装置である。
【００４２】
次に、サーバＳＶの構成について説明を行う。サーバＳＶは、図４の要部構成を概念的に示すブロック図に示されているように、通信制御部ＳＶ３０と、制御部ＳＶ２０と、記憶領域（符号ＳＶ１１〜ＳＶ１８）と、を備えている。
【００４３】
通信制御部ＳＶ３０は、インターネットＮＥＴを介して、インターネットＮＥＴに接続された利用者の情報端末装置ＵＳ１との情報の送受信を行うための入出力制御手段である。通信制御部ＳＶ３０は、利用者の情報端末装置ＵＳ１から入力されるデータを制御する処理と、利用者の情報端末装置ＵＳ１に出力されるデータを制御する処理を行なう。なお本実施形態の説明において、各処理の説明において利用者の情報端末装置ＵＳ１との通信に関しては、全て通信制御部ＳＶ３０を介して行っているものとする。
【００４４】
制御部ＳＶ２０は、サーバＳＶにおける、本実施形態のシステムを機能させる役割を持つ複数のプログラムの実行を説明のために集約したものであり、実際には複数のプログラムが相互に連携すること等により、システムを機能させる。なお、制御部ＳＶ２０が担う各処理については、働きを概念的に別けて後述する。
【００４５】
記憶領域（符号ＳＶ１１〜ＳＶ１８）は、情報を記憶する役割を担うものであり、例えばハードディスク等の外部記憶装置により実現可能なものである。記憶領域（符号ＳＶ１１〜ＳＶ１８）は、会員情報記憶領域ＳＶ１１と、Ｗｅｂ情報記憶領域ＳＶ１２と、交際申込情報記憶領域ＳＶ１３と、コース情報記憶領域ＳＶ１４と、グループ員記憶領域ＳＶ１５と、カップル情報記憶領域ＳＶ１６と、メッセージ記憶領域ＳＶ１７と、連絡先記憶領域ＳＶ１８と、を有している。これらの記憶領域の情報の記憶には、単体のファイル及び複数のファイル、あるいはデータベースを使用して実現可能である。
【００４６】
会員情報記憶領域ＳＶ１１は、複数の会員に関する情報を記憶する。図５は、会員情報記憶領域ＳＶ１１において記憶される情報の構成図である。この会員情報記憶領域ＳＶ１１に記憶される情報は、一意的に特定可能な会員ＩＤ、各会員が情報を登録済みであることを認証するためのログインＩＤおよびパスワード、各会員のニックネームや自己ＰＲ文、電子メールアドレス、会員の顔写真等の写真データ、属性情報（性別、年齢、居住地の都道府県、等）、特定のコースの詳細情報でのみ公開される情報である各コース属性情報、会員が申請中または利用参加中のグループのグループＩＤ、以前に会員が交際を申込んだことのある相手の履歴として記憶される申込み相手の会員ＩＤ、であり、それらは会員ＩＤに関連付けられ、会員ごとに整理して記憶される。
【００４７】
Ｗｅｂ情報記憶領域ＳＶ１２は、利用者の情報端末装置ＵＳ１に送信し表示部ＵＳ１ｄに表示させるための各種のＷｅｂページを構成するための各種の情報を記憶する。Ｗｅｂページはハイパーテキスト (hypertext)の仕組みにより複数のファイルを相互に関連付け、結び付けて構成されてできるものであり、静的（事前に準備され格納されている）または動的（利用者の入力等に応じて）に生成される。Ｗｅｂ情報記憶領域ＳＶ１２に記憶される情報の例としては、ＨＴＭＬファイルやＷｅｂページの構成の基となる情報、フラッシュデータ、Ｗｅｂページを彩る画像データ（ＧＩＦ、ＪＰＥＧ等）等である。
【００４８】
コース情報記憶領域ＳＶ１４は、全てのコースの参加者募集中のグループと、稼働中のグループ、稼働中のグループの開設日時、および男性の参加者上限人数と、女性の参加者上限人数を記憶する。図７は、コース情報記憶領域ＳＶ１４において記憶される情報の構成図である。参加者募集中のグループＩＤと、複数の稼働中のグループのグループＩＤ、および当該コースの男性の参加者上限人数と、女性の参加者上限人数を、コース毎に整理して記憶する。なお、グループＩＤは一意的に特定可能な情報であり、グループ開設日時は稼働中のグループのグループＩＤ毎に関連付けて記憶する。
【００４９】
グループ員記憶領域ＳＶ１５は、募集中のコースに利用参加申請した会員および稼働中のグループに利用参加する会員の情報を記憶する。図８は、グループ員記憶領域ＳＶ１５において記憶される情報の構成図である。一意的に特定可能なグループＩＤに関連付けられ、利用参加申請した会員および稼働中のグループに利用参加する会員の会員ＩＤを男女に分類して記憶される。
【００５０】
交際申込情報記憶領域ＳＶ１３は、各会員が利用参加中のグループでの交際の申込みに関する情報を記憶する。図６は、交際申込情報記憶領域ＳＶ１３において記憶される情報の構成図である。それらの情報は一意的に特定可能な会員ＩＤに関連付けられ、利用参加するグループ毎に、会員に交際を申込んだ相手たちの会員ＩＤと、会員から交際を申込んだ相手たちの会員ＩＤ、およびそれと対にした、相手からの返事に関する情報（ＹｅｓかＮｏか、あるいは未返事か）と、を整理して記憶される。
【００５１】
カップル情報記憶領域ＳＶ１６は、各会員が利用参加中のグループでカップル関係になった相手を特定する情報を記憶する。図９は、カップル情報記憶領域ＳＶ１６において記憶される情報の構成図である。それらの情報は一意的に特定可能な会員ＩＤに関連付けられ、会員が利用参加するグループ毎に、カップル関係になった相手の会員ＩＤ、およびそれと対にした、一意的に特定可能なカップルＩＤと、を整理して記憶される。
【００５２】
メッセージ記憶領域ＳＶ１７は、カップル関係である会員同士で交わしたメッセージに関する情報を記憶する。図１０は、カップル情報記憶領域ＳＶ１６において記憶される情報の構成図である。それらの情報は、一意的に特定可能なカップルＩＤに関連付けられ、メッセージを送信した日時毎に、メッセージを送信した会員の会員ＩＤと、題名の情報と、メッセージ文の情報と、を整理して記憶される。
【００５３】
連絡先記憶領域ＳＶ１８は、カップルとなったことのある異性会員の直接連絡先情報（電話番号や電子メールアドレス等）を記憶する。直接連絡先情報はカップル関係となった会員が、相手である異性会員に直接的に連絡をとりたいときに自己の操作により記録される。図１１は、連絡先記憶領域ＳＶ１８において記憶される情報の構成図である。それらの情報は、一意的に特定可能な会員ＩＤに関連付けられ、カップルとなったことのある相手の会員ＩＤ、およびそれと対にした、カップルとなったことのある相手の直接連絡先情報と、を整理して記憶される。
【００５４】
さて次は、前述の制御部ＳＶ２０が担う各処理に関して説明する。図４において、制御部ＳＶ２０の各処理は、要求処理部ＳＶ２１と、登録処理部ＳＶ２２と、認証処理部ＳＶ２３と、申請処理部ＳＶ２４と、グループ処理部ＳＶ２５と、に分けられる。
【００５５】
要求処理部ＳＶ２１は、利用者の情報端末装置ＵＳ１からの各種の要求を解釈して、その解釈結果に応じて各部に処理を受け渡す処理を行なう。
【００５６】
登録処理部ＳＶ２２は、利用者が登録する自己の情報を会員情報記憶領域ＳＶ１１に記憶する処理を行なう。
【００５７】
認証処理部ＳＶ２３は、利用者が情報端末装置ＵＳ１から送信するログインＩＤとパスワードを確認し、会員登録を済ませた会員であることを認める処理を行なう。
【００５８】
申請処理部ＳＶ２４は、利用者が好むコースに対して利用参加の申請を行う際の処理と、グループの開設を行う際の処理を行う。
【００５９】
グループ処理部ＳＶ２５は、グループの参加者が交際相手を探すための活動全般に関する処理を行う。グループ処理部ＳＶ２５の処理は、会員が利用を指示するグループに対して、当該利用者が当該グループの参加者であることを確認するグループ確認処理ＳＶ２５ａと、参加者が交際相手に求める属性情報を基に他の参加者の情報を検索し条件に合致する参加者の情報を抽出して当該情報を閲覧可能に提示する検索処理ＳＶ２５ｂと、参加者が閲覧を希望する異性の参加者の詳細な情報を参加者に提示する詳細情報表示処理ＳＶ２５ｃと、参加者が気に入った異性の参加者に対して行う交際の申込みを処理する交際申込処理ＳＶ２５ｄと、交際の申込みを受けた側の参加者が交際申込みを行った異性の参加者に返事をするための処理を行う申込返事処理ＳＶ２５ｅと、交際の申込みを受けた側の参加者が交際に対し「Ｙｅｓ」の返事をした場合に、交際の申込みを受けた側の参加者と交際申込みを行った異性の参加者をカップル関係としてメッセージ交信可能な状態にする処理を行うカップル成立処理ＳＶ２５ｆと、カップル関係にある参加者同士のメッセージ交信に関する処理を行うメッセージ交信処理ＳＶ２５ｇと、カップル関係にある相手の参加者に対して参加者が自己の直接連絡先情報を知らせる際の処理を行う連絡先記録処理ＳＶ２５ｈと、に分けられる。
【００６０】
次に利用者が使用する情報端末装置ＵＳ１に関して説明する。情報端末装置ＵＳ１は、内部にＷｅｂデータを解釈して、表示部ＵＳ１ｄにＷｅｂページを表示させるＷＷＷ（Ｗｏｒｌｄ Ｗｉｄｅ Ｗｅｂ）ブラウザ等のＷｅｂページ閲覧ソフトを備えており、モデム、ルーター等の通信装置と、電話回線あるいは専用線等を介して、インターネットＮＥＴに接続されており、サーバＳＶとデータ通信可能に接続されている。
【００６１】
次に、利用者の情報端末装置ＵＳ１がサーバＳＶと通信する流れを説明する。まず利用者は、自己が使用する情報端末装置ＵＳ１が備えるキーボードやマウス等の入力部ＵＳ１ｍを自己で操作して、表示部ＵＳ１ｄに表示されるＷｅｂブラウザ等のＷｅｂページ閲覧ソフトを起動し、利用者は本実施形態のシステムが提供するＷｅｂサイトのＵＲＬをアドレスバーで指定する等の公知の方法で、当該ＷｅｂサイトのＷｅｂページの表示を指定する。その行動により、当該Ｗｅｂブラウザは、公知の方法でインターネットＮＥＴ（具体的には、プロバイダ等のサーバ装置）に対して接続確立を行い、公知の方法によってアドレス解決等を行った後、サーバＳＶに対して指定したＷｅｂページのＷｅｂデータの送信要求を行う。
【００６２】
この送信要求を受けたサーバＳＶの要求処理部ＳＶ２１は、受けた要求を処理するための各処理部にその要求を受け渡す。それぞれの処理部はその要求に応じて、記憶領域（符号ＳＶ１１、ＳＶ１３〜ＳＶ１８）から取得し処理した情報と、Ｗｅｂ情報記憶領域ＳＶ１２から取得したＷｅｂページを構成する際の基となるデータ（以下、Ｗｅｂ基データ）と、を基に生成したＷｅｂデータ（あるいは生成しないＷｅｂデータ）を、利用者の情報端末装置ＵＳ１に送信する。Ｗｅｂデータは、利用者の情報端末装置ＵＳ１が当然に備える通信制御部（サーバＳＶの通信制御部ＳＶ３０と同様の機能を果たす）を介して受信され、Ｗｅｂブラウザによって解析される。それにより、利用者の情報端末装置ＵＳ１の表示部ＵＳ１ｄに利用者の要求に応じて成されたＷｅｂページが表示される。また利用者がキーボードやマウス等の入力部ＵＳ１ｍを操作して、マウスカーソルをＷｅｂページの所定の場所（ボタン等）にのせマウスボタンをクリックすることにより情報の送信やＷｅｂページの表示の指定を行なえるようになっている。なお、以下の説明でクリックする行為は上記のことを指すものとし、利用者の情報端末装置ＵＳ１から送信された要求から、各Ｗｅｂページの表示に至るまでの基本的な処理は同様であるとして、この処理の説明を省略する。また本来、一つのＷｅｂページの表示には、利用者の情報端末装置ＵＳ１とサーバＳＶの間のやりとり（要求や送信等）が複数回繰り返されることで実現する。本実施形態の説明においては説明を簡略にするために、Ｗｅｂページを構成するＷｅｂデータを、サーバＳＶから情報端末装置ＵＳ１にまとめて一度に送信するような表現で説明する。
【００６３】
ここからは、本実施形態におけるシステムを利用者が利用する流れと各処理の詳細な説明とを交えて説明する。まず、利用者が情報を登録し会員となるための処理の説明から始める。図１２はこの処理のフローチャートである。まず利用者は、既述の手順と処理で、情報端末装置ＵＳ１の表示部ＵＳ１ｄに、本実施形態におけるＷｅｂサイトの会員登録用ページを表示させる（ステップＦａ１〜Ｆａ３）。
【００６４】
この会員登録用ページ（図１６を参照）は、利用者が本実施形態におけるシステムを活用するために必要な利用者の情報を送信するためのものである。このページは、送信ボタンＬａ８と、ニックネームの入力欄Ｌａ１、本実施形態におけるシステム側のスタッフによる連絡がある場合に用いる電子メールアドレスの入力欄Ｌａ２、年齢や性別等の利用者の属性情報等の入力欄Ｌａ３〜Ｌａ５、ログイン時に用いるパスワードの入力欄Ｌａ６、自己ＰＲ文の入力欄Ｌａ７等を備えて構成されている。この属性情報とは、性別、年齢、身長、年収、学歴等、利用者の属性情報であり、検索や利用者の詳細情報掲載ページに掲載される情報である。なお、入力欄はシステムの構成に応じて増減してもよい。
【００６５】
利用者がこれら全ての入力欄Ｌａ１〜Ｌａ７に本実施形態におけるシステムが必須とする情報を記入して、送信ボタンＬａ８をクリックすると、入力情報がサーバＳＶに送信される（ステップＦａ４）。送信された入力情報は、要求処理部ＳＶ２１から登録処理部ＳＶ２２に受け渡される。登録処理部ＳＶ２２は、送信された入力情報が、本実施形態におけるシステムが求める情報に適当であるかの正誤を判断し、誤りがあると判断する場合には、所定のエラー画面のＷｅｂデータをＷｅｂ情報記憶領域ＳＶ１２から取得して利用者の情報端末装置ＵＳ１に送信する。
【００６６】
登録処理部ＳＶ２２がこの情報を適切であると判断した場合には、一意的に特定可能な会員ＩＤと、一意的に特定可能なログインＩＤと、を生成し（ステップＦａ５）、送信された入力情報と、そのログインＩＤと、をその会員ＩＤに関連付けて会員情報記憶領域ＳＶ１１に記憶する（ステップＦａ６）。
【００６７】
その後、登録処理部ＳＶ２２はＷｅｂ情報記憶領域ＳＶ１２から取得する、会員登録完了を知らせるページのＷｅｂ基データとログインＩＤと、から生成したＷｅｂデータを利用者の情報端末装置ＵＳ１に送信し（ステップＦａ７）、利用者の情報端末装置ＵＳ１の表示部ＵＳ１ｄにログインＩＤを含んだ会員登録完了を知らせるページを表示させる（ステップＦａ８）。
【００６８】
なお、ログインＩＤと利用者が登録したパスワードは、ログインする際に必要なものであり、利用者は表示部ＵＳ１ｄに表示したログインＩＤを自己で記録する。
【００６９】
会員情報記憶領域ＳＶ１１に記憶した情報の内、他の会員に公開される情報に関しては、会員が後に利用参加する全てのグループの詳細情報掲載ページ等の公開情報として共通で用いられる。コースのコンセプトによっては、コース専用の情報もあるが、それらの情報、および写真データは、会員が会員専用ページにログインの後、利用者の任意のタイミングで追加、更新が可能であり、それらの情報も会員情報記憶領域ＳＶ１１に記憶される。
【００７０】
次に、会員が会員専用ページを利用するまでの処理について説明する。図１３はこの処理のフローチャートである。まず利用者は、既述の手順と処理で、情報端末装置ＵＳ１の表示部ＵＳ１ｄに、ログインフォームページ（図１７を参照）を表示させる（ステップＦｂ１〜Ｆｂ３）。ログインフォームページは、利用者が利用登録を済ませた会員であるのかを判断するための情報を利用者が送信するためのものであり、利用者が会員登録時に記録したログインＩＤの入力欄Ｌｂ１と、登録時に利用者自身が決めたパスワードを入力する入力欄Ｌｂ２、送信を指示する送信ボタンＬｂ３を備える構成である。
【００７１】
利用者は、各入力欄に記入し、送信ボタンＬｂ３をクリックすることにより、これらの入力情報がサーバＳＶに送信される（ステップＦｂ４）。この情報を受信したサーバＳＶの要求処理部ＳＶ２１は、情報を認証処理部ＳＶ２３に受け渡す。認証処理部ＳＶ２３は、会員情報記憶領域ＳＶ１１に記憶されている情報を参照し、ログインＩＤとパスワード、双方が合致する会員を検索する（ステップＦｂ５）。
【００７２】
合致する会員が発見できなかった場合、認証処理部ＳＶ２３はエラーを知らせるページのＷｅｂデータを、Ｗｅｂ情報記憶領域ＳＶ１２から取得し、利用者の情報端末装置ＵＳ１に送信する（ステップＦｂ９）。
【００７３】
合致する利用者が発見できた場合、利用者は会員であると認め、認証処理部ＳＶ２３は会員情報記憶領域ＳＶ１１から当該会員の情報を取得し（ステップＦｂ６）、それらの情報と、Ｗｅｂ情報記憶領域ＳＶ１２から取得したＷｅｂ基データとを基に、会員専用ページのＷｅｂデータを動的生成し、当該Ｗｅｂデータを利用者の情報端末装置ＵＳ１に送信する（ステップＦｂ７）。これにより、エラー画面または会員専用ページが利用者の情報端末装置ＵＳ１の表示部ＵＳ１ｄに表示される（ステップＦｂ８）。
【００７４】
ログインにより、利用者の情報端末装置ＵＳ１の表示部ＵＳ１ｄに最初に表示される会員専用ページに属するコース選択ページの構成を図１８で示す。コース選択ページには複数のコース欄（符号Ｌｃ１０、Ｌｃ２０、例は一部）があり、コース欄毎に、会員に対するコースの案内や利用参加申請に関する手続、会員が利用参加するグループへのログインをするためのフォームを備えている。なお説明では、コース欄Ｌｃ１０を一例として取り上げるが、実際には複数のコース欄があり、全てのコース欄はコース欄Ｌｃ１０とほぼ同様の構成である。
【００７５】
コース欄Ｌｃ１０は、コースのコンセプト要約文Ｌｃ１、コースのコンセプト説明文Ｌｃ４、コースの男女の定員数Ｌｃ２およびＬｃ３、会員が閲覧する時点における男女の利用参加申請者数Ｌｃ５およびＬｃ６、コースへの利用参加を申請する利用参加申請ボタンＬｃ７、コースへの利用参加申請の取り消しを指示する利用参加キャンセルボタンＬｃ８、当該コースにおいて会員自身が利用参加するグループへのログインを指示するグループ・ログインボタンＬｃ９、を備えて構成されている。なお図１８では、全てのボタン（符号Ｌｃ７〜Ｌｃ９）が記載されているが、会員各自の各コースとの関わりにより表示は異なる。
【００７６】
例えば、会員がコース欄Ｌｃ１０のコースへの利用参加の申請をしていない場合、３つのボタン（符号Ｌｃ７〜Ｌｃ９）の内、コースへの利用参加を申請する利用参加申請ボタンＬｃ７のみが表示される。会員が利用参加の申請を済ませている場合、３つのボタン（符号Ｌｃ７〜Ｌｃ９）の内、その利用参加申請の取り消しを指示する利用参加キャンセルボタンＬｃ８のみが表示される。そして会員が参加者として登録されているグループが、そのコースに関連するものである場合には、３つのボタン（符号Ｌｃ７〜Ｌｃ９）の内、当該グループへのログインを指示するグループ・ログインボタンＬｃ９のみが表示される。
【００７７】
男女の募集定員数の内、いずれか一方の性が定員を満たした場合（例えば、男性）、定員を満たさない側の性（例えば、女性）の募集は継続され、定員を満たした側の性は募集を中断し、利用参加申請済みの会員の利用参加申請の取り消しのみを受け付ける。つまり、コース選択ページを閲覧する会員が定員を満たした側の性に属し、当該会員が利用参加申請をしていないコースである場合、当該コースのコース欄の３つのボタン（符号Ｌｃ７〜Ｌｃ９）が表示される位置には、それらの３つのボタン（符号Ｌｃ７〜Ｌｃ９）を表示せず、「満員御礼」の旨を知らせるメッセージを表示する。
【００７８】
次に、会員によるコースへの利用参加申請を受けた場合の処理について説明する。図１４はこの処理のフローチャートである。会員が利用参加申請ボタンＬｃ７をクリックする場合、その情報がサーバＳＶに送信される（ステップＦｃ１）。この情報を受けたサーバＳＶの要求処理部ＳＶ２１は、この情報を申請処理部ＳＶ２４に受け渡す。申請処理部ＳＶ２４は指定されたコースにおいて、利用参加者募集中のグループＩＤと、男女の参加者上限人数を、コース情報記憶領域ＳＶ１４（図７を参照）から取得し、グループ員記憶領域ＳＶ１５（図８を参照）において当該グループＩＤと合致する情報を取得する。そして利用参加申請をした会員の性別側の利用参加申請済みの会員ＩＤの数と利用参加申請をした会員の性別側の上限人数を比べて（ステップＦｃ２）、利用参加申請を受け入れられる状態ならば、コース情報記憶領域ＳＶ１４のグループＩＤが合致する情報項目に参加者として当該会員の会員ＩＤを会員の性別側に追加すると共に、会員情報記憶領域ＳＶ１１の当該会員の情報として利用参加申請中のグループとして当該グループＩＤを追加する（ステップＦｃ３）。さらに男女それぞれの利用参加申請者数が参加者上限人数を満たしていないかの確認をした後（ステップＦｃ４）、既述の表示処理と同様の手続きで利用者の情報端末装置ＵＳ１の表示部ＵＳ１ｄに、利用参加申請が済んだ旨のメッセージを添えたＷｅｂページを表示させる（ステップＦｃ９）。
【００７９】
なお、前述の男女の利用参加申請者数が参加者上限人数を越えていないかの確認の際に（ステップＦｃ４）、男女双方の利用参加申請者数が定員数を満たした場合、コース情報記憶領域ＳＶ１４（図７を参照）にて、会員が利用参加申請をしたグループが関連するコースの情報項目の参加者募集中のグループＩＤを稼働中のグループの情報に加え（ステップＦｃ５）、新たに一意的に特定可能なグループＩＤを生成し（ステップＦｃ６）、当該グループＩＤを参加者募集中のグループＩＤとして更新する（ステップＦｃ７）。これにより、新たなグループが開設するのと同時に、男女双方の利用参加申請者がいない状態で再びコース
に関連するグループへの新たな参加者募集を始める。
【００８０】
表示された利用参加キャンセルボタンＬｃ８を会員がクリックする場合、その情報がサーバＳＶに送信される。この情報を受けたサーバＳＶの要求処理部ＳＶ２１は、この情報を申請処理部ＳＶ２４に受け渡す。申請処理部ＳＶ２４は指定されたコースにおいて、参加者募集中のグループＩＤを、コース情報記憶領域ＳＶ１４（図７を参照）から取得し、グループ員記憶領域ＳＶ１５（図８を参照）において当該グループＩＤと合致する情報を取得する。そして、利用参加申請者たちの会員ＩＤを検索し、利用参加の取り消しを指示した会員の会員ＩＤがあれば取り除くと共に、会員情報記憶領域ＳＶ１１の当該会員の情報の利用参加申請中のグループのグループＩＤの内、合致するグループＩＤを削除する。その後、既述の表示処理と同様の手続で利用者の情報端末装置ＵＳ１の表示部ＵＳ１ｄに、利用参加申請の取り消しの旨のメッセージを添えたＷｅｂページを表示させる。
【００８１】
次に、稼働中のグループに会員がログインの指定を行った場合の処理について説明する。図１５はこの処理のフローチャートである。会員が以前に利用参加申請をしたグループが稼動している状態で、会員がグループ・ログインボタンＬｃ９をクリックする場合、その情報がサーバＳＶに送信される（ステップＦｄ１）。この情報を受けたサーバＳＶの要求処理部ＳＶ２１は、この情報をグループ処理部ＳＶ２５に受け渡す。グループ処理部ＳＶ２５は複数の処理の内の一つである、グループ確認処理ＳＶ２５ａを行う。
【００８２】
グループ確認処理ＳＶ２５ａは、会員が利用を指定するグループが稼働中のグループであり、会員が参加者として登録されているグループであるかを確認するための処理である。会員情報記憶領域ＳＶ１１から当該会員が利用参加中の全てのグループＩＤを取得と共に、コース情報記憶領域ＳＶ１４に記憶される指定のグループが関連するコースにおいて稼働中である全てのグループのグループＩＤを取得し（ステップＦｄ２）、ログインの指定を受けたグループのグループＩＤがそれらの情報を基に適正であるかの確認を行い（ステップＦｄ３）、不適正と判断すれば、既述の流れでエラー画面が利用者の情報端末装置ＵＳ１の表示部ＵＳ１ｄに表示される（ステップＦｄ７）。この確認で適正と判断する場合、指定されたグループが終了するまでの残り時間を確認し（ステップＦｄ４、Ｆｄ５）、当該残り時間があると認められれば、会員が指定したグループのグループ参加者専用ページの閲覧が認められ、Ｗｅｂ情報記憶領域ＳＶ１２から取得するグループ参加者専用ページのＷｅｂ基データと、会員の情報と、を基に動的生成したＷｅｂデータを利用者の情報端末装置ＵＳ１に送信する（ステップＦｄ６）。その結果、グループ参加者専用ページに属するトップページ（図１９を参照）が利用者の情報端末装置ＵＳ１の表示部ＵＳ１ｄに表示される。このグループ確認処理ＳＶ２５ａはグループ参加者専用ページに属する全てのページの閲覧指定の際に行われ、会員は利用を指定したグループの参加者として当該グループの異性の参加者を対象として交際相手を探すための活動を行うことができる。
【００８３】
会員がログインの指定をしたグループが終了するまでの残り時間は、コース情報記憶領域ＳＶ１４から取得するグループ開設日時と予め設定した期限とから算出し、当該グループの存続を判断する（ステップＦｄ５）。当該グループの残り時間がゼロとなっている場合、グループは稼動を終えることになる。その場合の処理は、グループ員記憶領域ＳＶ１５から当該グループの全参加者たちの会員ＩＤを取得し、会員情報記録領域ＳＶ１１の彼らの情報から、利用参加中のコースのグループの情報としての当該グループのグループＩＤを削除し、コース情報記憶領域ＳＶ１４から当該グループが関連するコースにおける稼働中のグループの情報としての当該グループの情報を削除する（ステップＦｄ８）。この処理により、当該グループの利用は参加者の誰にも一切できなくなり終了となる。なお、グループの残り時間を確認し、グループを終了する処理を実行するタイミングは、上述のように会員がグループにログインを指定する時や、グループ参加者専用ページに属するページの閲覧を指定する時で設定してもよいし、サーバが一般的に備えるＣＲＯＮ設定等による自動確認でも実現が可能である。
【００８４】
ここから、グループ内での参加者の活動に関する処理を説明する。参加者とは、稼働中のグループを利用参加可能な会員である。参加者が交際相手を探せる対象は、同じグループに利用参加可能な異性の参加者である。またグループ参加者専用ページとは、グループ内で参加者が交際相手探しを行うためのＷｅｂページであり、グループに利用参加可能な会員がグループ・ログインボタンＬｃ９をクリックすることで当該グループの参加者であると認められた会員のみ閲覧と活用が可能である。なお、参加者が自己の情報端末装置ＵＳ１の表示部ＵＳ１ｄにグループ参加者専用ページに属するＷｅｂページを表示させる要求や情報の送信をサーバＳＶに行う際には、既述のグループ処理部ＳＶ２５のグループ確認処理ＳＶ２５ａを行っている。
【００８５】
まず、他の参加者を検索するための処理について説明する。参加者は交際相手を探す目的のため、グループ参加者専用ページに属する、検索ページ（図２０を参照）を利用できる。当該ページは、年齢選択入力欄Ｃｂ３、居住地選択入力欄の都道府県Ｃｂ４、職業選択入力欄Ｃｂ５（その他、年収や身長等の属性を検索する入力欄は図示しない）と、送信ボタンＣｂ６を備えた構成である。参加者が好みの属性を入力し、送信ボタンＣｂ６をクリックすると、この情報を受けたサーバＳＶの要求処理部ＳＶ２１は、この情報をグループ処理部ＳＶ２５に受け渡す。グループ処理部ＳＶ２５は前述のグループ確認処理ＳＶ２５ａを行った上で、検索処理ＳＶ２５ｂを行う。
【００８６】
検索処理ＳＶ２５ｂは、指定された属性情報と、会員が利用参加中のグループのグループＩＤを検索条件に、会員情報記憶領域ＳＶ１１に記憶された参加者情報に対する検索を行い、会員情報記憶領域ＳＶ１１から検索条件に合致した異性の参加者の情報を取得する。当該グループＩＤが一致することを検索条件としたことで、同じグループの参加者に検索の対象を限定できる。そして、その検索から得られた情報と、Ｗｅｂ情報記憶領域ＳＶ１２から取得する検索結果ページのＷｅｂ基データと、から動的生成したＷｅｂデータを参加者の情報端末装置ＵＳ１に送信する。この結果、検索を指示した参加者の情報端末装置ＵＳ１の表示部ＵＳ１ｄに検索結果ページが表示される。
【００８７】
検索結果ページは、図２１に例示するように、参加者が指定した検索条件に合致する異性の参加者たちの簡易な情報が、異性の参加者ごとに整理して一覧で表示する構成となっている。Ｃｃ３は検索条件に合致した参加者の人数である。ここでは小画像Ｃｃ４の主である参加者の情報の構成のみを紹介するが、小画像Ｃｃ４、年齢Ｃｃ５、居住地の都道府県Ｃｃ６、職業Ｃｃ７等の属性情報や、詳細情報掲載ページ表示ボタンＣｃ８を、一覧で表示される異性の参加者ごとに備えられる。
【００８８】
次に、他の参加者の詳細情報掲載ページ（図２２を参照）を閲覧等する処理について説明する。上記の検索結果ページの詳細情報掲載ページ表示ボタンＣｃ８を、閲覧する参加者がクリックすると、この情報を受けたサーバＳＶの要求処理部ＳＶ２１は、この情報をグループ処理部ＳＶ２５に受け渡す。グループ処理部ＳＶ２５は既述のグループ確認処理ＳＶ２５ａを行った上で、詳細情報表示処理ＳＶ２５ｃを行う。詳細情報表示処理ＳＶ２５ｃは、当該詳細情報の主である参加者の情報を会員情報記憶領域ＳＶ１１から取得し、閲覧する参加者がログインしたグループのグループＩＤと、当該詳細情報の主である参加者の情報に含まれる利用参加中のグループのグループＩＤと、が合致することを確認した上で、当該詳細情報の主である参加者の情報と、Ｗｅｂ情報記憶領域ＳＶ１２から取得する詳細情報掲載ページのＷｅｂ基データと、から動的生成したＷｅｂデータを閲覧する参加者の情報端末装置ＵＳ１に送信する。この結果、閲覧する参加者の情報端末装置ＵＳ１の表示部ＵＳ１ｄに詳細情報掲載ページが表示される。
【００８９】
詳細情報掲載ページは、図２２に例示するように、参加者の写真データＣｄ３、ニックネームＣｄ４、年齢Ｃｄ５、居住地の都道府県Ｃｄ６、職業Ｃｄ７等の属性情報や自己ＰＲ文Ｃｄ１１を備えた構成である（その他の属性情報の図示は省略する）。また詳細情報掲載ページの下部には交際の申込みボタンＣｄ１２を備えている。参加者は異性の参加者の詳細情報掲載ページを閲覧し、交際の申込みの判断をする。
【００９０】
上述の詳細情報表示処理ＳＶ２５ｃにより、詳細情報掲載ページを生成する際に、会員情報記憶領域ＳＶ１１に記憶されている、閲覧を要求した参加者の交際申込み先の履歴情報を検索し、詳細情報の主である異性の参加者の会員ＩＤの有無を確認する。当該履歴情報に詳細情報の主である異性の参加者の会員ＩＤが含まれていた場合、閲覧を要求する参加者が以前に交際申込みを行った相手の詳細情報掲載ページであると解釈し、交際の申込みボタンＣｄ１２を含まない詳細情報掲載ページのＷｅｂデータを、閲覧を要求する参加者の情報端末装置ＵＳ１に送信する。これは複数の他のグループにおいて同一人物からの複数回の交際申込みを抑えるための措置である。交際申込みを行ったことのない相手であると判断した場合、詳細情報掲載ページに交際の申込みボタンＣｄ１２を表示する。
【００９１】
次に、参加者が同じグループの異性の参加者に対して交際の申込みをする際の処理に関して説明する。交際の申込みをしたい参加者は、交際を申込みたい異性の参加者の詳細情報掲載ページに表示された交際の申込みボタンＣｄ１２をクリックすると、その情報はサーバＳＶに送信される。この情報を受けたサーバＳＶの要求処理部ＳＶ２１は、この情報をグループ処理部ＳＶ２５に受け渡す。グループ処理部ＳＶ２５は既述のグループ確認処理ＳＶ２５ａを行った上で、交際申込処理ＳＶ２５ｄを行う。交際申込処理ＳＶ２５ｄは、交際申込情報記憶領域ＳＶ１３（図６を参照）から交際を申込んだ側の参加者の会員ＩＤを基に整理された情報において、利用参加中のグループのグループＩＤ毎に分類された「会員が交際を申込んだ相手」として交際申込み相手である異性会員の会員ＩＤを記憶させると共に、交際申込み相手である異性会員の会員ＩＤを基に整理された情報においても、当該グループＩＤ毎に分類された「会員に交際を申込んだ相手」として交際を申込んだ側の会員の会員ＩＤを記憶させる。さらに会員情報記憶領域ＳＶ１１において、交際を申込んだ参加者側の交際申込み履歴に、交際申込み相手である異性会員の会員ＩＤを記憶させる。
【００９２】
グループ参加者専用ページに属する交際申込リストページ（図２３を参照）は、交際申込みに関する情報の閲覧や返答を行うページであり、参加者自身が受けた交際申込みへの返事を行う欄Ｃｅ１０、参加者自身が交際を申込んだ相手からの返事を確認できる欄Ｃｅ２０、から成る。
【００９３】
参加者自身が受けた交際申込みへの返事を行う欄Ｃｅ１０は、相手ごとに、交際を申込んだ参加者の会員ＩＤの表示Ｃｅ１１と、当該参加者の詳細情報掲載ページを閲覧するボタン（符号Ｃｅ１２、Ｃｅ１６）、「ＹＥＳ」で返事するボタン（符号Ｃｅ１４、Ｃｅ１８）、「ＮＯ」で返事するボタン（符号Ｃｅ１５、Ｃｅ１９）を備えた構成である。詳細情報掲載ページ閲覧ボタン（例えば、符号Ｃｅ１２）をクリックした場合、参加者は交際を申込んだ側の参加者の詳細情報掲載ページを閲覧することができる。なお交際は、交際の申込みを受けた側の参加者がＹＥＳ返事ボタン（例えば、符号Ｃｅ１４）をクリックした場合にのみ成立する。
【００９４】
交際申込みを受けた側の参加者がＮＯ返事ボタン（例えば、符号Ｃｅ１５）をクリックすれば、その情報はサーバＳＶに送信される。この情報を受けたサーバＳＶの要求処理部ＳＶ２１は、この情報をグループ処理部ＳＶ２５に受け渡す。グループ処理部ＳＶ２５は既述のグループ確認処理ＳＶ２５ａを行った上で、申込返事処理ＳＶ２５ｅを行う。申込返事処理ＳＶ２５ｅは、交際申込情報記憶領域ＳＶ１３（図６を参照）に対して交際申込みを行った側の参加者の情報として、「ＮＯ返事」の情報を記憶させると共に、交際申込情報記憶領域ＳＶ１３に対して交際申込みを受けた側の参加者の情報から、交際申込みを受けた情報（交際申込みを行った側の参加者の会員ＩＤ）を削除する。また、交際申込みを行った側の参加者はこの返事を確認の後、別の操作にて任意のタイミングで交際申込みに関する情報（交際申込み先の履歴情報を除く）を削除することが可能である。
【００９５】
交際申込みを受けた側の参加者がＹＥＳ返事ボタン（例えば、符号Ｃｅ１４）をクリックすれば、その情報はサーバＳＶに送信される。この情報を受けたサーバＳＶの要求処理部ＳＶ２１は、この情報をグループ処理部ＳＶ２５に受け渡す。グループ処理部ＳＶ２５は既述のグループ確認処理ＳＶ２５ａを行った上で、申込返事処理ＳＶ２５ｅを行う。申込返事処理ＳＶ２５ｅは、交際申込情報記憶領域ＳＶ１３に対して交際申込みを行った側の参加者の情報として、「ＹＥＳ返事」の情報を記憶させると共に、交際申込情報記憶領域ＳＶ１３に対して交際申込みを受けた側の参加者の情報から、交際申込みを受けた情報（交際申込みを行った側の会員ＩＤ）を削除する。その後、グループ処理部ＳＶ２５はカップル成立処理ＳＶ２５ｆを行う。
【００９６】
カップル成立処理ＳＶ２５ｆは交際申込みを行った側の参加者とその申込みに「ＹＥＳ返事」を返した参加者とを既述のカップル関係にするための処理である。まず一意的に特定可能なカップルＩＤを生成し、カップル情報記憶領域ＳＶ１６（図９を参照）において、交際申込みを行った側の参加者の情報として交際申込みを受けた側の参加者の会員ＩＤと当該会員ＩＤに関連付けた当該カップルＩＤを利用参加グループのグループＩＤに関連付けて記憶させると共に、カップル情報記憶領域ＳＶ１６において、交際申込みを受けた側の参加者の情報として交際申込みを行った側の参加者の会員ＩＤと当該会員ＩＤに関連付けた上記と同様のカップルＩＤを上記と同様の利用参加グループのグループＩＤに関連付けて記憶させる。カップルＩＤは、後述するメッセージ交信の内容等をメッセージ記憶領域ＳＶ１７に記憶させる際に、情報を整理して記憶させるための識別子となるもので、カップル関係である参加者双方の情報に共通のカップルＩＤが記憶される。
【００９７】
参加者自身が交際を申込んだ相手からの返事を確認できる欄Ｃｅ２０は、交際申込みを受けた側からの返事を参加者ごとに表示する欄である。交際を申込んだ相手である参加者の会員ＩＤの表示Ｃｅ２１と、交際を申込んだ相手からの返事の状況により変わる３種類の表示（符号Ｃｅ２２〜Ｃｅ２４）から成る。交際を申込んだ相手から返事が来ていない場合、「先方からのお返事待ち（符号Ｃｅ２２）」と表示される。また、相手から「Ｙｅｓ」の返事があった場合、「Ｙｅｓ（符号Ｃｅ２３）」と表示されると共に、削除ボタンＣｅ２５が表示される。そして、相手から「Ｎｏ」の返事があった場合、「Ｎｏ（符号Ｃｅ２４）」と表示されると共に、削除ボタンＣｅ２６が表示される。これらの「Ｙｅｓ」「Ｎｏ」の返事に関する情報は、交際申込情報記憶領域ＳＶ１３に上述の流れで記憶させた「ＹＥＳ返事」、「ＮＯ返事」の情報に基づくものである。
【００９８】
カップル関係になった参加者同士は、お互いに本実施形態におけるシステムを介してメッセージの交信が可能になる。カップル関係が成立した場合、グループ参加者専用ページに属するトップページ（図１９を参照）の、交際カップル欄Ｃａ１５に、交信可能な参加者毎に詳細情報掲載ページ表示ボタンＣａ６、メッセージ交信ページボタンＣａ７、が表示されるようになる。会員が利用参加するグループにおいてカップル関係となった相手が複数人も存在する場合、これらのボタン（符号Ｃａ６、Ｃａ７）は相手の人数に合わせて表示される。
【００９９】
例えば、参加者がメッセージ交信ページボタンＣａ７をクリックすると、その情報はサーバＳＶに送信される。この情報を受けたサーバＳＶの要求処理部ＳＶ２１は、その旨をグループ処理部ＳＶ２５に受け渡す。グループ処理部ＳＶ２５は既述のグループ確認処理ＳＶ２５ａを行った上で、交際カップルである相手参加者の会員ＩＤを基にカップル情報記憶領域ＳＶ１６（図９を参照）から指定の相手と共通して記憶されているカップルＩＤを取得し、当該カップルＩＤを基にメッセージ記憶領域ＳＶ１７（図１０を参照）からメッセージ送信日時毎に整理された複数のメッセージに関する情報（メッセージ主の会員ＩＤ、題名、メッセージ文、等）を取得する。それらの情報と、Ｗｅｂ情報記憶領域ＳＶ１２から取得するメッセージ交信ページのＷｅｂ基データとでＷｅｂデータを動的生成し、当該Ｗｅｂデータを利用者の情報端末装置ＵＳ１に送信する。これにより、メッセージ交信を行うためのメッセージ交信ページが利用者の情報端末装置ＵＳ１の表示部ＵＳ１ｄに表示される。
【０１００】
交際カップル専用であるメッセージ交信ページ（図２４を参照）は、メッセージ送信フォームＣｆ１０、直接連絡先フォームＣｆ２０，メッセージ表示欄Ｃｆ３０、を備えている。メッセージ送信フォームＣｆ１０には、題名入力欄Ｃｆ１１、メッセージ入力欄Ｃｆ１２、それらの入力情報を送信するメッセージ送信ボタンＣｆ１３、を備えている。また、直接連絡先フォームＣｆ２０には、参加者自身の電子メールアドレスや電話番号を先方に知らせるための直接連絡先入力欄Ｃｆ２１、その入力情報を送信する送信ボタンＣｆ２２、を備えている。そして、メッセージ表示欄Ｃｆ３０には、送信し記録されたメッセージが送信日時毎に整理されて、メッセージの送信日時Ｃｆ３１、書き込んだ側を明確にする情報の表示Ｃｆ３２、題名Ｃｆ３３、メッセージ文Ｃｆ３４、を備えている。
【０１０１】
次にメッセージの送信に関する処理を説明する。参加者は、題名入力欄Ｃｆ１１にメッセージの題名、メッセージ入力欄Ｃｆ１２にメッセージ文章を任意で記入し、メッセージ送信ボタンＣｆ１３をクリックすることで、それらの情報と共に参加者の会員ＩＤおよびカップルＩＤをサーバＳＶに送信する。この情報を受けたサーバＳＶの要求処理部ＳＶ２１は、この情報をグループ処理部ＳＶ２５に受け渡す。グループ処理部ＳＶ２５は既述のグループ確認処理ＳＶ２５ａを行った上で、メッセージ交信処理ＳＶ２５ｇを行う。メッセージ交信処理ＳＶ２５ｇは、メッセージ情報を送信した参加者の会員ＩＤを基にカップル情報記憶領域ＳＶ１６の情報を参照し、受け取ったカップルＩＤの正誤を確認した上で、メッセージ記憶領域ＳＶ１７において当該カップルＩＤに関連付けて、メッセージ送信の日時ごとに題名入力欄Ｃｆ１１とメッセージ入力欄Ｃｆ１２の情報を整理して記憶する。カップル関係にある参加者双方にしか与えられないカップルＩＤをメッセージの送信の都度に確認することで、第三者によるメッセージ送信を防ぐことができる。
【０１０２】
カップル関係である参加者同士（以下、カップル関係者）のメッセージの送受信は本実施形態においてサーバＳＶを介して行われるが、グループが期限切れを迎える場合、メッセージ交信ページの利用もできなくなることにより、カップル関係者の交信ができなくなる。そのため、カップル関係者はサーバＳＶを介さずに交信できる手段として、電話や電子メール等の直接連絡先情報をお互いに知らせあう必要がある。しかしメッセージ交信により、直接連絡先情報の伝達を行うと、上述の通りグループが期限切れを迎えた場合、メッセージから読み取ることができなくなり、直接連絡先情報の受け手がメッセージに記載された直接連絡先情報を読み取ることができなくなる可能性がある。そのため、直接連絡先情報を記録する手段を別に備えてある。
【０１０３】
次に直接連絡先情報を記録する手段を説明する。参加者は、直接連絡先入力欄Ｃｆ２１に直接連絡先情報を記入し、送信ボタンＣｆ２２をクリックすると、直接連絡先入力欄Ｃｆ２１の情報と共に参加者の会員ＩＤおよびカップル関係である相手の会員ＩＤをサーバＳＶに送信する。この情報を受けたサーバＳＶの要求処理部ＳＶ２１は、この情報をグループ処理部ＳＶ２５に受け渡す。グループ処理部ＳＶ２５は既述のグループ確認処理ＳＶ２５ａを行った上で、連絡先記録処理ＳＶ２５ｈを行う。連絡先記録処理ＳＶ２５ｈは、直接連絡先情報を送信した参加者の会員ＩＤと、直接連絡先情報と、をカップル関係である相手の会員ＩＤに関連付けて、連絡先記憶領域ＳＶ１８（図１１を参照）に記憶させる。
【０１０４】
カップル関係相手が知らせた直接連絡先情報を知りたい参加者は、会員ならいつでもアクセス可能な会員専用ページに属する直接連絡先を表示するページの閲覧指定の情報をサーバＳＶに送信すると、この情報を受けたサーバＳＶの要求処理部ＳＶ２１は、この情報をグループ処理部ＳＶ２５に受け渡す。グループ処理部ＳＶ２５は既述のグループ確認処理ＳＶ２５ａを行った上で、直接連絡先の閲覧を要求した参加者の会員ＩＤを基に連絡先記憶領域ＳＶ１８から直接連絡先の情報を取得し、会員専用ページに属する直接連絡先を表示するページのＷｅｂ基データをＷｅｂ情報記憶領域ＳＶ１２から取得し、それらの情報から動的に生成したＷｅｂデータを、利用者の情報端末装置ＵＳ１に送信し、利用者の情報端末装置ＵＳ１の表示部ＵＳ１ｄに直接連絡先を含んだページを表示する。
【０１０５】
最後に、会員が登録した情報（年齢、職業、年収等の属性情報、ニックネーム、ＰＲ文、等）の更新、および写真データの登録等の処理に関する説明をする。会員は、会員専用ページに属する会員情報登録ページの閲覧に関する要求情報をサーバＳＶに送信すると、サーバＳＶの要求処理部ＳＶ２１は、登録処理部ＳＶ２２にその旨を受け渡す。登録処理部ＳＶ２２は、会員情報記憶領域ＳＶ１１に記憶された情報の中から取得する当該会員の情報と、Ｗｅｂ情報記憶領域ＳＶ１２から取得する会員情報登録ページのＷｅｂ基データと、から動的生成したＷｅｂデータを会員の情報端末装置ＵＳ１に送信する。この結果、会員の情報端末装置ＵＳ１の表示部ＵＳ１ｄに会員情報登録ページが表示される。当該会員情報登録ページは、各情報の入力欄と送信ボタンを備えた構成で、会員は更新したい情報や登録したい情報を各情報入力欄に記入し、送信ボタンをクリックする。それにより、それらの情報と共に会員の会員ＩＤをサーバＳＶに送信する。サーバＳＶの要求処理部ＳＶ２１は、登録処理部ＳＶ２２にその旨を受け渡す。登録処理部ＳＶ２２は、会員情報記憶領域ＳＶ１１に会員の会員ＩＤに関連付けて、受け取った情報を記憶する。
【０１０６】
なお、この実施形態は、本発明の実行を可能とする例であり、本発明はこの実施形態だけに限定されるものではない。また、本発明は、上記の実施形態以外にも、特許請求の範囲に記載した技術的思想の範囲内で、様々な実施の形態で活用することができる。
【０１０７】
例えば、上記の実施形態では、利用者は異性である他の利用者を探すことを目的としているが、何かを行うための仲間や友達、ルームメイトを探すことを目的とするなど、同性の利用者同士を仲介する目的としても活用が可能である。
【０１０８】
また、グループ内において他の同性参加者同士による連絡手段を備えることで、団結する複数人の同性者たちを一単位とし、同様に一単位に団結した異性の参加者を探すという、グループ交際に似た形での交際希望者仲介にも活用できる。
【０１０９】
また、会員自身が出会いのコンセプトおよび／または定員数を自由に設定してコースを設けることのできる形式や会員自身が提案した出会いのコンセプトに対して他の会員たちの指示投票により、コースを設けることのできる形式にすることもできる。
【０１１０】
また、交際申込みの上限回数やカップル関係となる相手の上限人数を各コースやグループ毎に予め設けて制限する形式も考えられる。
【０１１１】
また、コースに関連する参加者を募集するグループが、コース毎に複数ある中から利用者が選択する形式も考えられる。
【０１１２】
また、一つのグループの全参加者が行った交際申込みの総合回数や、カップル関係の成立数、直接連絡先情報を交わしたカップル関係（交際成立）の総合数を成績のように表示する方法も考えられる。その場合、会員専用ページに属するＷｅｂページとして、全ての稼働中のグループの情報を一覧で表示する構成のＷｅｂページを設ける。当該Ｗｅｂページは会員なら誰でも閲覧が可能なものであり、稼働中のグループ毎の欄を複数欄、備えている。グループ欄毎に、会員が当該ページを閲覧する時点における、一つの稼働中のグループの全参加者の交際相手探しのための利用活動状況を簡単にまとめた情報である、次の（１）から（６）の情報を表示する。
（１）稼働中のグループが関連するコース名と、当該グループのグループＩＤ、
（２）稼働中のグループを構成する参加者の人数、および男女の割合、
（３）全参加者が行った交際申込みの総合回数、
（４）全参加者中におけるカップル関係の成立総数、
（５）全参加者中における直接連絡先情報を交わしたカップル関係（交際成立）の総数
（６）全参加者中におけるメッセージ配信の総合回数、等
これにより、グループへの所属意識を利用者に与える効果が期待でき、会員の交際相手探しへのやる気の減退の緩和の効果も期待できる。またベスト１０のような構成のＷｅｂページを設けて、上記（１）から（６）の回数のそれぞれにおいて、歴代で最も多いグループが関連するコース名と、当該グループのグループＩＤを掲載し、会員がそれを閲覧可能にする方法も考えられる。
【０１１３】
また、グループの男女の利用参加者数を等しくせず、どちらか一方の利用参加者数を少なくして交際希望者仲介を行う形式も考えられる。
【０１１４】
そしてメッセージの送受信に関しても、上記の実施形態では、利用者同士のメッセージ交信は、メッセージデータを含めて動的に生成したＷｅｂページを介して行っていたが、それを行わず、カップル関係の成立時点で、電子メールアドレスや電話番号等の直接連絡先を知らせるという方法やメッセージを電子メールに置き換える方法、ＴＶ電話で動く顔を見ながらコミュニケーションをとる形式も考えられる。
【０１１５】
そして詳細情報掲載ページも、会員の静止画像を掲載するのでなく、動画ファイルの掲載や、ＹｏｕＴｕｂｅ等の動画投稿サービスに投稿した動画を掲載する形式も考えられる。
【０１１６】
また、性別や本実施形態におけるシステムの活用頻度等に応じて、グループへの利用参加申請が可能な回数や交際申込が可能な回数等の増減を行う機能を追加する形式も考えられる。
【０１１７】
また、上記の実施形態の各処理において、自動的に行っていた部分の全部または一部を手動で行う形、もしくは反対に手動で行った部分を自動で行うという形にしてもよいし、上記文書中や図面中で示した名称、制御や処理の手順、各種の登録データや検索条件等の情報については、変更してもよい。
【０１１８】
なお、上記の実施形態のシステムの構成は、説明のためにわかりやすく簡易に概念化したものであり、サーバＳＶの制御部ＳＶ２０にて行なわれる各処理の機能や記憶領域等の全てを一台のサーバ装置に集約せず、それらの全部または一部を、複数の装置に分散する構成にしてもよい。
【０１１９】
また、出会いのコンセプトの例としては既述のものの他に、以下のものも考えられる。
「外国人と、外国人との交際を希望する人を対象とする交際希望者仲介」、
「アニメやマンガが好きな人を対象とする交際希望者仲介」、
「映画・読書が好きな人を対象とする交際希望者仲介」、
「交際が不慣れな人を対象とする交際希望者仲介」、
「年齢層毎に分けて行う交際希望者仲介」、
「地域・都道府県毎に分けて行う交際希望者仲介」、
「ペット好きな人を対象とする交際希望者仲介」、
「教育に情熱をかけたい人を対象とする交際希望者仲介」、
「田舎暮らしを希望する人を対象とする交際希望者仲介」、
「外国暮らしを希望する人を対象とする交際希望者仲介」、
「音楽・芸術好きな人を対象とする交際希望者仲介」、
「旅行好きな人を対象とする交際希望者仲介」、
「エコロジストを対象とする交際希望者仲介」、
「職業毎に分けて行う交際希望者仲介」、
「スポーツ好きな人を対象とする交際希望者仲介」、
「マリーンスポーツ・ウィンタースポーツ好きな人を対象とする交際希望者仲介」、
「商いのパートナーになれる相手を希望する者同士の交際希望者仲介」、
「アウトドア派の人を対象とする交際希望者仲介」、
「趣味が合う相手を希望する者同士の交際希望者仲介」、
「価値観が合う相手を希望する者同士の交際希望者仲介」、等
【図面の簡単な説明】
【０１２０】
【図１】請求項１に記載の交際希望者仲介システムが行うサービスを概念的に示す図である。
【図２】請求項２に記載の交際希望者仲介システムが行うサービスを概念的に示す図である。
【図３】本発明の実施形態のシステムの全体構成図である。
【図４】サーバ装置の要部構成を概念的に示すブロック図である。
【図５】会員情報記録領域ＳＶ１１を概念的に示す図である。
【図６】交際申込情報記憶領域ＳＶ１３を概念的に示す図である。
【図７】コース情報記憶領域ＳＶ１４を概念的に示す図である。
【図８】グループ員記憶領域ＳＶ１５を概念的に示す図である。
【図９】カップル情報記憶領域ＳＶ１６を概念的に示す図である。
【図１０】メッセージ記憶領域ＳＶ１７を概念的に示す図である。
【図１１】連絡先記憶領域ＳＶ１８を概念的に示す図である。
【図１２】会員登録時の処理のフローチャートである。
【図１３】会員専用ページにログインする時の処理のフローチャートである。
【図１４】グループへの利用参加を申請する時の処理のフローチャートである。
【図１５】グループ参加者専用ページにログインする時の処理のフローチャートである。
【図１６】会員登録用ページの表示例を示す図である。
【図１７】ログインフォームページの表示例を示す図である。
【図１８】グループ参加者専用ページに属するコース選択ページの表示例を示す図である。
【図１９】グループ参加者専用ページに属するトップページの表示例を示す図である。
【図２０】グループ参加者専用ページに属する検索ページの表示例を示す図である。
【図２１】グループ参加者専用ページに属する検索結果ページの表示例を示す図である。
【図２２】グループ参加者専用ページに属する詳細情報掲載ページの表示例を示す図である。
【図２３】グループ参加者専用ページに属する交際申込リストページの表示例を示す図である。
【図２４】グループ参加者専用ページに属するメッセージ交信ページの表示例を示す図である。
【符号の説明】
【０１２１】
ＮＥＴ……インターネット
ＵＳ１、ＵＳ２、ＵＳ３……情報端末装置
ＳＶ……サーバ
ＳＶ１１……会員情報記憶領域
ＳＶ１２……Ｗｅｂ情報記憶領域
ＳＶ１３……交際申込情報記憶領域
ＳＶ１４……コース情報記憶領域
ＳＶ１５……グループ員記憶領域
ＳＶ１６……カップル情報記憶領域
ＳＶ１７……メッセージ記憶領域
ＳＶ１８……連絡先記憶領域
ＳＶ２０……制御部
ＳＶ２１……要求処理部
ＳＶ２２……登録処理部
ＳＶ２３……認証処理部
ＳＶ２４……申請処理部
ＳＶ２５……グループ処理部
ＳＶ２５ａ……グループ確認処理
ＳＶ２５ｂ……検索処理
ＳＶ２５ｃ……詳細情報表示処理
ＳＶ２５ｄ……交際申込処理
ＳＶ２５ｅ……申込返事処理
ＳＶ２５ｆ……カップル成立処理
ＳＶ２５ｇ……メッセージ交信処理
ＳＶ２５ｈ……連絡先記録処理
ＳＶ３０……通信制御部
【図１】
2009237690.tif 000003
【図２】
2009237690.tif 000004
【図３】
2009237690.tif 000005
【図４】
2009237690.tif 000006
【図５】
2009237690.tif 000007
【図６】
2009237690.tif 000008
【図７】
2009237690.tif 000009
【図８】
2009237690.tif 000010
【図９】
2009237690.tif 000011
【図１０】
2009237690.tif 000012
【図１１】
2009237690.tif 000013
【図１２】
2009237690.tif 000014
【図１３】
2009237690.tif 000015
【図１４】
2009237690.tif 000016
【図１５】
2009237690.tif 000017
【図１６】
2009237690.tif 000018
【図１７】
2009237690.tif 000019
【図１８】
2009237690.tif 000020
【図１９】
2009237690.tif 000021
【図２０】
2009237690.tif 000022
【図２１】
2009237690.tif 000023
【図２２】
2009237690.tif 000024
【図２３】
2009237690.tif 000025
【図２４】
2009237690.tif 000026